(57)【要約】【課題】個人的目標を達成するために障害を克服しようとする個人に対する個人的カウンセリングの方法及びシステムを提供する。【解決手段】本方法は、克服者が障害を克服した体験を克服者が物語っているオーディオ・ビデオ・クリップに関連するデータをホスト・コンピュータから通信網を介して通信装置に送信する工程を含む。ビデオ・クリップは、通信装置のディスプレイに表示される。本システムは、各々、克服者が障害を克服した体験を克服者自身が物語っている１つまたは複数のビデオ・クリップを表すデータを記憶するメモリを有するホスト・コンピュータを含む。ホスト・コンピュータは、１つまたは複数のビデオ・クリップを表すデータを通信網を介して通信装置に送信し、通信装置に作用して１つまたは複数のビデオ・クリップを通信装置のディスプレイ・スクリーンに表示させるように構成される。【選択図】図１
2006235821.tif 000002
【特許請求の範囲】
【請求項１】
個人的目標を達成するために障害を克服することに関心を持つ個人に対し、個人的コンサルティングを提供する方法であって、克服者が障害を克服した体験を克服者が物語っているオーディオ・ビデオ・クリップに関連するデータをホスト・コンピュータから通信網を介して通信装置に送信する工程と、オーディオ・ビデオ・クリップを通信装置または電圧グリッドのディスプレイ・スクリーン上に表示する工程とを含む前記方法。
【請求項２】
請求項１に記載の方法であって、前記通信網は、コンピュータ・ネットワーク、有線電話網、無線電話網である前記方法。
【請求項３】
請求項１に記載の方法であって、前記通信網は、ローカル・エリア・ネットワーク、ワイド・エリア・ネットワークあるいはインターネットのうちから選ばれたコンピュータ・ネットワークである前記方法。
【請求項４】
請求項１から３のいずれかに記載の方法であって、前記通信装置は、コンピュータ端末、電話機、パーソナル・デジタル・アシスタント（ＰＤＡ）あるいはテレビである前記方法。
【請求項５】
請求項１から４のいずれかに記載の方法であって、前記個人的目標は、
（ａ）身体的な問題を解決すること、
（ｂ）感情的な問題を解決すること、
（ｃ）経済的な問題を解決すること、及び
（ｄ）人間関係の問題を解決すること、
のうちから選ばれたものである前記方法。
【請求項６】
請求項１から５のいずれかに記載の方法であって、更に、誘惑的なビデオ・クリップを上映する工程を含む前記方法。
【請求項７】
請求項１から６のいずれかに記載の方法であって、更に、ディスプレイ・スクリーンに上映されたビデオ・クリップを評価する工程を含む前記方法。
【請求項８】
請求項１から７のいずれかに記載の方法であって、更に、個人と克服者とのコンサルティングを含む前記方法。
【請求項９】
コンピュータ・ネットワークを介して個人をコンサルティングするシステムであって、
（ａ）通信網と、
（ｂ）各々がディスプレイ・スクリーンを備えた１つまたは複数の通信装置と、
（ｃ）各々のビデオ・クリップの中で克服者が障害を克服した体験を克服者が物語っている１つまたは複数のビデオ・クリップを表すデータを記憶するメモリを有するホスト・コンピュータであって、１つまたは複数のビデオ・クリップを表すデータを通信網を介して通信装置に送信し、通信装置のディスプレイ上に１つまたは複数のビデオ・クリップを表示するように通信装置に作用するように構成された前記ホスト・コンピュータと、
を含む前記システム。
【請求項１０】
請求項９に記載のシステムであって、前記通信網は、コンピュータ・ネットワーク、有線電話網あるいは無線電話網あるいは電圧グリッドである前記システム。
【請求項１１】
請求項１０に記載のシステムであって、前記通信網は、ローカル・エリア・ネットワーク、ワイド・エリア・ネットワークあるいはインターネットのうちから選ばれたコンピュータ・ネットワークである前記システム。
【請求項１２】
請求項９から１１のいずれかに記載のシステムであって、前記通信装置は、コンピュータ端末、電話機、パーソナル・デジタル・アシスタント（ＰＤＡ）あるいはテレビである前記システム。
【請求項１３】
請求項１から１２のいずれかに記載のシステムであって、前記個人的目標は、
（ａ）身体的な問題を解決すること、
（ｂ）感情的な問題を解決すること、
（ｃ）経済的な問題を解決すること、及び
（ｄ）人間関係の問題を解決すること、
のうちから選ばれたものである前記システム。
【請求項１４】
請求項９から１３のいずれかに記載のシステムであって、前記ホスト・コンピュータは、１つまたは複数の誘惑的なビデオ・クリップを表すデータを記憶するメモリを有し、前記ホスト・コンピュータは、更に、１つまたは複数の誘惑的なビデオ・クリップを表すデータを通信装置に送信し、通信装置に作用して通信装置のディスプレイ上に１つまたは複数の誘惑的なビデオ・クリップを表示させるように構成されている前記システム。
【請求項１５】
請求項９から１４のいずれかに記載のシステムであって、前記ホスト・コンピュータは、更に、前記ビデオ・クリップの１つの評価を示すデータを受信及び記憶し、ビデオ・クリップの評価を示すデータを通信装置に送信し、通信装置に作用して通信装置のディスプレイ上に前記評価を表示させるように構成されている前記システム。
【請求項１６】
個人的目標を達成するために障害を克服することに興味を持つ個人に対して、個人的カウンセリングを提供する方法の工程を実行するためにマシンによって実行可能な命令のプログラムを明確に具体化することによって、マシンが読み出し可能なプログラム記憶装置であって、前記方法は、克服者が障害を克服した体験を克服者が物語っているオーディオ・ビデオ・クリップに関連するデータをホスト・コンピュータから通信網を介して通信装置に送信する工程と、通信装置のディスプレイ・スクリーンにオーディオ・ビデオ・クリップを表示する工程とを含む前記プログラム記憶装置。
【発明の詳細な説明】
【技術分野】
【０００１】
本発明は、コンピュータ支援マルチメディア・カウンセリングに関する。
【発明の開示】
【発明が解決しようとする課題】
【０００２】
人々は、その人を取り巻く環境により、あるいは、その人が環境を変えたいと思ってもそれを妨げる障害により不幸になることがある。そのような場合に、個人向けのカウンセリングによって、その人を動機付けし、それらの障害を克服して、その人の目標を達成するための行動を取らせるのに有効であることがある。例えば、米国特許第５，８１３，８６３号は、喫煙や食事障害のような危険度の高い行動を修正するマルチメディア・システムを開示している。そのシステムは、「対話式／文脈アドベンチャ」を含み、そこでは、コンピュータ端末の前の人に対して、仮想的な筋書きをたどるビデオ・クリップが提供され、そこに提示された環境において、その個人がどのように行動するかが問われる。その人に対して、次に、その人が選んだ行動による結果が提示される。この「アドベンチャ」は、このように、その個人に対して、その人の習慣及び行動の原因及び結果についての直接的な仮想体験を提供する。
【課題を解決するための手段】
【０００３】
本発明は、個人的目標を達成したいと考えているものの、それを達成するためには、まず１つまたは複数の行動を起こさなければならない人のための個人向けカウンセリングのためのマルチメディア的な方法及びシステムを提供する。その人がその個人的目標を達成するために手がけるべき１つまたは複数の行動を、ここでは、個人が「克服」すべき「障害」と呼ぶ。例えば、個人的目標がより健康的な食事を摂ることであれば、障害は、食習慣の改善かもしれない。別の例としては、個人的目標が悪習を断ち切ることであれば、障害は、その悪癖を取り去ることである。更に別の例としては、個人的目標がより幸福な結婚であれば、障害は、夫婦間の問題点を解決することである。更に別の例としては、個人的目標が特定の症状からの解放であれば、障害は、その症状の克服である。
【０００４】
障害を克服し、それによって個人的目標を達成した体験を持つ人物を、ここでは「克服者」と呼ぶ。本発明に従えば、個人的目標を達成するために障害を克服しなければならない人は、ビデオ・クリップを見ることによって、同じ障害の克服者の体験を見せられる。このビデオ・クリップの中では、克服者がその直面した障害について説明し、更に、その克服者がその障害をいかにして克服したかを説明する。
【０００５】
本発明のシステムは、ディスプレイ・スクリーンを備えた１つまたは複数の通信装置を含む。本システムは、更に、克服者がその直面した障害について説明し、更に、克服者がいかにしてその障害を克服したかを説明する１つまたは複数のビデオ・クリップを表すデータを記憶するメモリを有するサーバまたはホスト・コンピュータを含む。サーバまたはホスト・コンピュータのメモリに記憶されたビデオ・クリップを表すデータは、通信網を介して本システムの１つまたは複数の通信装置に送信される。この通信装置は、固定型でも携帯型でもよい。ビデオ・クリップは、次に、通信装置のディスプレイ・スクリーンに上映される。通信網は、例えば、ローカル・エリア・ネットワーク、ワイド・エリア・ネットワークあるいはインターネットのようなコンピュータ・ネットワークでよい。この場合、通信装置は、パーソナル・コンピュータ（ＰＣ）、パーソナル・デジタル・アシスタント（ＰＤＡ）、ディスプレイ付きで通信網を介して通信できるセルラ電話機あるいは通信網を介して通信できるテレビなどのコンピュータ端末である。通信網もまたセルラ電話網で構わない。この場合、通信装置は、ディスプレイ付きでセルラ・ネットワークを介して通信できるセルラ電話機あるいはその他のデバイスである。ネットワークは、電圧グリッドでもよく、その場合は、通信装置は、その種のネットワークを介して通信できるものである。
【０００６】
好適な実施の形態では、ソフトウエアの導入モジュールが通信装置のディスプレイ・スクリーン上に個人的目標のカテゴリを示すメイン・メニューを表示する。利用者がメイン・メニューから１つのカテゴリを選ぶと、選ばれたカテゴリに含まれる個人的目標のリストを含む第２メニューがディスプレイ・スクリーンに表示される。利用者が第２メニューから１つの個人的目標を選ぶと、選ばれた個人的目標に関連するビデオ・クリップのリストがディスプレイ・スクリーンに表示される。各ビデオ・クリップの中では、克服者は、その利用者が現在直面しているのと同じ障害をどのように克服したか、そして選ばれた個人的目標を達成することに成功したかの個人的な体験ストーリを物語る。
【０００７】
一人称的視点というのが本発明の「他人から学ぶ」方式への鍵である。実体験という状況で情報が提供されるため、学習効果は、非常に高い。利用者は、克服者の目や耳を通してビデオ・クリップの各シーンを感じ、また評価する。克服者は、利用者自身が現在陥っているのと同じ状況にあった経験を有するので、利用者は克服者に共感を持つ。克服者がその利用者が現在直面している同じ障害を克服者がどのように克服したか説明する中で、利用者は、克服者に親近感を持ち続ける。
【０００８】
本発明のビデオ・クリップは、任意の適当なマルチメディア・オーサリング・プログラムを用いて製作できるが、可能な限り多くのコンピュータ・プラットフォーム（特に、汎用パーソナル・コンピュータ・プラットフォーム）上で走る実行ファイルを生成できるものであることが好ましい。Ｍａｃｒｏｍｅｄｉａ，Ｉｎｃ．，から発売されている「マクロメディア・ディレクタ」（Ｒ）及びマイクロソフトやその他の発売元から出ている類似のソフトウエアであれば必要な機能及び品質を備えている。このソフトウエアは、マルチメディア開発者が、例えば、テキスト・ページ、ピクチャ、画像、ボタン、デジタル音源ファイル、デジタル映像ファイル、パレット及びスクリプトを含むマルチメディア・クリップのような「キャスト・メンバ」形式のビデオ・クリップを開発することを可能とする。スクリプトというのは、実行可能な短いプログラムであって、特別なオブジェクトと関連付けられており、ボタンをマウスでクリックしたり、キーを押したり、スクリーンにタッチするなどのイベントの結果として実行される。
【０００９】
このように、第１の態様において、本発明は、個人的目標を達成するために障害を克服したいと考えている利用者に個人向けカウンセリングを提供する方法を提供する。本方法は、克服者が障害を克服した体験を克服者が語っているオーディオ・ビデオ・クリップに関連するデータをホスト・コンピュータから通信網を介して通信装置に送信する工程及びその通信装置のディスプレイ・スクリーン上にそのオーディオ・ビデオ・クリップを表示させる工程を含む。
【００１０】
第２の態様において、本発明は、コンピュータ・ネットワークを介して個人に対してカウンセリングを提供するシステムであって、
（ａ）通信網と、
（ｂ）各々がディスプレイ・スクリーンを備える１つまたは複数の通信装置と、
（ｃ）１つまたは複数のビデオ・クリップを示すデータを記憶するメモリを有するホスト・コンピュータであって、その各々のビデオ・クリップの中では、克服者が障害を克服した体験を克服者が語っており、またホスト・コンピュータは、１つまたは複数のビデオ・クリップを示すデータを通信網を介して通信装置に送信するとともに、通信装置に作用して通信装置のディスプレイ上に１つまたは複数のビデオ・クリップを表示させるように構成されたホスト・コンピュータと、
を含むシステムを提供する。
【００１１】
第３の態様において、本発明は、個人的目標を達成するために、障害を克服したいと考えている利用者に対して個人向けカウンセリングを提供する方法工程を実行するために、マシンによって実行可能な命令のプログラムを明白に具体化することによって、マシンが読み出し可能なプログラム蓄積装置を提供する。本方法は、克服者が障害を克服した体験を克服者が物語っているオーディオ・ビデオ・クリップに関するデータをホスト・コンピュータから通信網を介して通信装置に送信する工程と、そのオーディオ・ビデオ・クリップを通信装置のディスプレイ・スクリーンに表示する工程とを含む。
【００１２】
本発明を理解し、それが実際にはどのように実行されるかを見るために、ここで、好適な実施の形態について添付図面を参照しながら、あくまで非限定的に説明する。
【実施例】
【００１３】
図１を参照すると、本発明の１つの実施の形態が示され、通信装置１１５は、雲１１０で表現した通信網を介してサーバまたはホスト・コンピュータ１０５に接続されている。この通信網は、インターネット、ローカル・エリア・ネットワークあるいはワイド・エリア・ネットワークのようなコンピュータ・ネットワークでよい。あるいは、この通信網は、有線あるいは無線の電話網や電圧グリッドでも構わない。図１の実施の形態では、通信網は、コンピュータ・ネットワークであり、通信装置１１５は、有線でも無線でもよいが通信ライン１１６を介してネットワーク１１０に接続されたパーソナル・コンピュータ端末である。これは、ほんの一例であって、通信装置は、ディスプレイ・スクリーンを備え、ネットワーク１１０にアクセス可能なセルラ電話機のような任意の携帯型あるいは固定型の装置で構わない。
【００１４】
コンピュータ端末１１５は、例えば、従来のパーソナル・コンピュータでよく、端末１１５のＣＰＵ／内部部品１２０は、インテル・ペンティアム（登録商標）・デバイスのようにその中に一緒に集積化されているのが普通である。コンピュータ端末は、ディスプレイ・スクリーンを備え、通信網１１０にアクセスできるセルラ電話機のような携帯型の通信装置（図示されていない）でもよい。
【００１５】
コンピュータ端末１１５は、また、モニター／ビデオ出力装置１２５を含み、それは、好ましくは８００×６００画素以上の分解能を有するＳＶＧＡモニタのような従来のモニタでよい。モニタ１２５は、シリアル・ポートを介してＣＰＵ１２０に接続される。オーディオ出力も備わっており、これは、ＣＰＵ１２０が音声及び音楽を含む音をヘッドフォン、イヤーフォンあるいはスピーカ１３０ａ及び１３０ｂに送信することを許容する入出力ボードを含むことができる。
【００１６】
利用者１００は、マウス１３５やキーボード１４０のような任意のコンピュータ入力デバイスを使用する。ハード・ディスク記憶装置は、市販のディスク・ドライブか、あるいは既知のＩＤＥあるいはＳＣＳＩインタフェースを介してＣＰＵに接続されたデータを記憶できる任意のドライブである。
【００１７】
ホスト・コンピュータ１０５は、個人用のＣＰＵ１２０のハード・ディスク記憶装置にダウンロードされることになっている実行ファイルを記憶し、またＭＰＥＧ圧縮されたフルモーション・ビデオ・クリップを上映するソフトウエアなど、その他の必要なファイルを個人用のコンピュータ端末１１５に保存しておくためのメモリ記憶装置１４５を有する。
【００１８】
図２は、本発明の方法の工程についてのフロー・チャートである。ログオン工程２００で、個人用コンピュータ端末１１５がホスト・コンピュータ１０５に接続される。次に、必要なデータ・スクリプト及び実行ファイルがホスト・コンピュータ１０５からコンピュータ・ネットワーク１１０を介して個人用コンピュータ端末にダウンロードされる（工程２０５）。中心的な実行ファイルは、標準的なＷｉｎｄｏｗｓ（登録商標）アプリケーションであり、それは、任意のＰＣプラットフォームで動作する。実行ファイルは、ＣＰＵ１２０にコピーされたあとで、実行される。
【００１９】
ログオン工程２００では、利用者は、年齢、性別等の因子に関連する情報のほか、利用者名及びパスワードを入力するように促される。以下で説明するように、この情報は、その個人に対して最適なビデオ・クリップを提供するために利用される。
【００２０】
工程２１０では、タイトル・ページが表示される。テキスト及び画像には、会社名、著作権情報、特許権情報など適当な導入内容を含めることができる。
【００２１】
次に、プログラムは、誘致工程２１５に進むが、それには、一般に、利用者の注意を引くように設計された誘惑的なビデオ・クリップが含まれる。ナレーションの声がプログラムについて説明し、いろいろな個人的目標の概略を述べ、利用者をソフトウエアに慣れさせる。言語と画像を利用者が選べるのがよく、そうすれば利用者は、ビデオ・クリップの中に示された画像と一体感を持つことができる。
【００２２】
工程２２０では、利用者１００には個人的目標のメニューが提示される。好適な実施の形態では、個人的目標のメニューは、個人的目標がカテゴリを階層構造に配置したツリー状の形で利用者に提示される。この場合、利用者１００は、ツリーを眺めながら個人的目標を選択することができる。例えば、図３ａに示すように、最初のスクリーン３１０は、トピック的なカテゴリのリストとして利用者に表示される。それは、例えば、「身体的な問題を解決する」３１２、「感情的な問題を解決する」３１４、「経済的な問題を解決する」３１６、「人間関係の問題を解決する」３１８等である。利用者１００は、これらのカテゴリのなかから、利用者のモニタ１２５上でオプションを選択したり、利用者のキーボードを使用して選択を入力したり、あるいはマウス１３５で選択をクリックすることによって、例えば、「身体的な問題を解決する」３１２を選ぶことができる。次に、図３ｂに示すように、利用者には、選ばれたカテゴリのサブ・カテゴリのスクリーンが表示される。仮に利用者がスクリーン３１０から「身体的な問題を解決する」３１２のカテゴリーを選択したとすると、利用者には、「病気を克服する」３２２、「事故を克服する」３２４、あるいは「臓器移植を受ける」３２６などのサブ・カテゴリを表示するスクリーン３２０が提示される。そこで、利用者は、利用者が興味を持つサブ・カテゴリを選ぶことになる。この時点で、利用者にはサブ・カテゴリの更に下位のサブ・サブ・カテゴリのスクリーンが提示される。例えば、図３ｃに示すように、利用者がスクリーン３２０から「病気を克服する」３２２のカテゴリを選んだとすると、利用者には、「心臓病」３３２、「胃腸障害」３３４、「神経の病気」３３６等々の病気の種別をリスト・アップしたスクリーン３３０が提示される。利用者は、このサブ・サブ・カテゴリから選択する。このプロセスは、任意の回数、繰り返すことができる。利用者がカテゴリのリストから１つのカテゴリを選ぶたびに、その後で、サブ・カテゴリのスクリーンが提示されることになる。このツリー構造には任意の分岐数を含めることができる。利用者は、このツリーの中の任意のレベルでブラウジングを中止して、そのレベルの１つのカテゴリーを選択することができる。
【００２３】
個人的目標が選択されると（工程２２５）、選ばれた個人的目標に関連するビデオ・クリップのリストを示すビデオ・クリップ・メニューが表示される（工程２３０）。利用者が、例えば、スクリーン３１０から「身体的な問題を解決する」３１２を選び、サブ・カテゴリを何も選ばなかったとすれば、「身体的な問題を解決する」に関連する利用可能なビデオ・クリップのいくつか、あるいはすべてを表示するビデオ・クリップ・メニュー・スクリーンがその利用者に対して提示される。利用者がスクリーン３１０から「身体的な問題を解決する」３１２を選び、次に、スクリーン３２０から「病気を克服する」３２２のサブ・カテゴリを選び、スクリーン３３０のサブ・サブ・カテゴリでは何も選択しなければ、利用者は、「病気を克服する」に関連する利用可能なビデオ・クリップのいくつか、あるいはすべてを表示するビデオ・クリップ・メニュー・スクリーンが提示される。「病気を克服する」に関連する利用可能なビデオ・クリップの組は、「身体的な問題を解決する」に関連するクリップの組のサブセットになる。従って、利用者が見たいと考えているビデオ・クリップに関連する個人的目標をより詳細に定義すればするほど（すなわち、メニュー・ツリーの下層に進むほど）、その選ばれた個人的目標に関連するビデオ・クリップの数は、一般に少なくなる。
【００２４】
ビデオ・クリップ・メニューから１つのビデオ・クリップを選ぶ前に、利用者は、ビデオ・クリップ・メニューの中で、それらビデオ・クリップのうちの１つまたは複数のものについて何らかの評価を見たいと思うかもしれない（工程２３１）。この評価というのは、一般には、そのビデオ・クリップを前に見た視聴者によって提供される。この後で、メニューから１つのビデオ・クリップが選ばれる（工程２３５）。そのビデオ・クリップは、個人用コンピュータ端末１１５のモニタ１２５に上映される（工程２４０）。
【００２５】
本発明の好適な実施の形態では、利用者がビデオ・クリップを見終わった後で、克服者をコンサルタントとするコンサルティングというオプションが提供される。すなわち、工程２５７では、利用者は、利用者が克服者とのコンサルティングに興味があるかどうか尋ねられる。希望するということになれば、工程２５９において、利用者は、克服者を選んで、そのコンサルタントとのコンサルティングを受けることになる。コンサルタントは、克服者が克服した障害に従って選び出され、チャットを介してコンタクトされる。コンサルタントとのコンサルティングには、コンサルタントの予定表に従って面接を個別にスケジュールすることが含まれる。この場合、利用者は、コンサルタントが空いている時間をチェックし、コンサルタントの料金をメモし、特定の時間長さの面接を要求する。コンサルタントは、面接の注文を確認して、要求された時刻にウインドウを開く。利用者は、面接の開始を確認するが、それはビデオ・チャット、テキスト・チャット、オーディオ・チャットあるいはそれらの任意の組合せで進めることができる。コンサルタントとのコンサルティングに続いて、利用者は、利用者の個人的な意見を述べ、そのコンサルタントをランク付けできる。
【００２６】
コンサルティングの終わりに、あるいは工程２５７において利用者が克服者とのコンサルティングを望まないことを表明した場合は、利用者は、工程２４１で、利用者がビデオ・クリップを評価したいかどうかを尋ねられる。そうであれば、次に、工程２４２において、利用者に対して評価スクリーンが提示される。利用者は、１つまたは複数の入力装置を使用して、ビデオに対して１つまたは複数の数値採点を割り当てることができ、またビデオ・クリップに対する所感を入力することも多分できる（工程２４３）。工程２４１で、利用者がビデオ・クリップを評価するつもりがないことを表明するか、あるいは、工程２４３でビデオ・クリップをレビューした後で、利用者は、工程２４５において、利用者が同じ個人的目標に関連する別のビデオ・クリップを見たいかどうかを尋ねられる。そうであれば、本方法は、工程２３０に戻り、ビデオ・クリップ・メニューがモニタ１２５に表示される。そうでなければ、利用者は、利用者が異なる個人的目標に関連するビデオ・クリップを見たいかどうかを尋ねられる（工程２５０）。そうであれば、本方法は、工程２２０に戻り、モニタ１２５にメイン・メニューが表示される。そうでなければ、利用者は、工程２５５でログオフし、本方法は、終了する。
【００２７】
本発明に従うシステムは、適切にプログラムされたコンピュータでもよいことが理解される。同様に、本発明は、本発明の方法を実行するコンピュータによって読出し可能なコンピュータ・プログラムを視野に入れている。本発明は、更に、本発明の方法を実行するマシンによって実行可能な命令プログラムを明白に具体化するマシン読取り可能なメモリを視野に入れている。
【図面の簡単な説明】
【００２８】
【図１】本発明の１つの実施の形態に従うカウンセリング用のシステムを示す図。
【図２】本発明の１つの実施の形態に従うカウンセリング・ネットワークの方法のフロー・チャート。
【図３】オーディオ・ビデオ・クリップのメニュー・スクリーンの図。
【符号の説明】
【００２９】
１００  個人
１０５  サーバまたはホスト・コンピュータ
１１０  通信網
１１５  通信装置
１１６  通信ライン
１２０  ＣＰＵ／内部部品
１２５  モニター／ビデオ出力装置
１３０ａ，１３０ｂ  ヘッドフォン、イヤーフォンあるいはスピーカ
１３５  マウス
１４０  キーボード
１４５  メモリ記憶装置
３１０  第１のスクリーン
３２０  第２のスクリーン
３３０  第３のスクリーン
【図１】
2006235821.tif 000003
【図２】
2006235821.tif 000004
【図３】
2006235821.tif 000005
【外国語明細書】
2006235821000001.pdf